(57)【要約】【課題】定型用紙の表裏及び天地を判定可能にすることを目的とする。【解決手段】記録ヘッド１２によるハガキの印刷面側の郵便番号枠を検出するための表面センサ（表面発光素子１４及び表面受光素子１６）を記録ヘッド１２に設け、記録ヘッド１２に対向した位置に、記録ヘッド１２による印刷面と反対側の面の郵便番号枠を検出するための裏面センサ（裏面発光素子１８及び裏面受光素子２０）を設け、ハガキの郵便番号枠を検出することにより、ハガキの表裏及び天地を判定する。【選択図】図１
2010069670.tif 000002
【特許請求の範囲】
【請求項１】
定型用紙の一方の面へ光を照射する第１発光素子から照射されて定型用紙で反射された光を受光する第１受光素子と、
定型用紙の他方の面へ光を照射する第２発光素子から照射されて定型用紙で反射された光を受光する第２受光素子と、
前記第１受光素子及び前記第２受光素子の各検出結果に基づいて、定型用紙の予め定められた定型印刷部分を検出することにより、定型用紙の表裏及び天地を判定する判定手段と、
を備えた印刷装置。
【請求項２】
前記判定手段によって天地が反転していると判定された場合に、印刷対象の画像の天地を反転する画像反転手段を更に備えた請求項１に記載の印刷装置。
【請求項３】
前記判定手段の判定結果に応じて、表面に対応する画像を定型用紙へ印刷する表面モード、または裏面に対応する画像を定型用紙へ印刷する裏面モードを選択する選択手段を更に備えた請求項１又は請求項２に記載の印刷装置。
【請求項４】
前記判定手段は、前記第１受光素子及び前記第２受光素子の各検出結果における、ピーク間の周期を演算し、演算した周期が前記定型印刷部分か否かを判断する判断手段を含み、前記判断手段の判断結果に基づいて、定型用紙の表裏及び天地を判定する請求項１〜３の何れか１項に記載の印刷装置。
【請求項５】
前記判定手段は、前記第１受光素子及び前記第２受光素子の各検出結果における、予め定めた閾値以下の周期を演算し、演算した周期が前記定型印刷部分か否かを判断する判断手段を含み、前記判断手段の判断結果に基づいて、定型用紙の表裏及び天地を判定する請求項１〜３の何れか１項に記載の印刷装置。
【請求項６】
画像データに応じてインクを吐出して、画像データが表す画像を定型用紙へ印刷する印刷手段を更に備え、
前記判定手段が、前回の印刷時の画像データに応じて前記閾値を設定する設定手段を更に含む請求項５に記載の印刷装置。
【請求項７】
前記第１発光素子及び前記第１受光素子は、定型用紙へ画像を印刷するためのヘッドに設けられている請求項１〜６の何れか１項に記載の印刷装置。
【請求項８】
定型用紙がハガキであり、前記定型印刷部分が郵便番号枠である請求項１〜７の何れか１項に記載の印刷装置。
【請求項９】
前記判定手段は、前記第１受光素子または前記第２受光素子によって郵便番号枠を検出し、郵便番号枠を検出した受光素子側を表面と判定する請求項８に記載の印刷装置。
【請求項１０】
前記判定手段は、前記第１受光素子または前記第２受光素子によって宛先郵便番号枠を検出し、検出した宛先郵便番号枠の定型用紙に対する位置に基づいて天地を判定する請求項８又は請求項９に記載の印刷装置。
【請求項１１】
前記第１発光素子及び前記第２発光素子は、青色光を定型用紙へ照射する請求項９に記載の印刷装置。
【発明の詳細な説明】
【技術分野】
【０００１】
本発明は、印刷装置にかかり、特に、定型用紙へ印刷を行う印刷装置に関する。
【背景技術】
【０００２】
近年、インクジェットプリンタ等の印刷装置が多く流通し、家庭でも手軽に印刷が可能となってきている。手軽に印刷できることから、ハガキや封筒などの定型用紙への宛名書き等を印刷装置を用いて印刷することが増えてきている。
【０００３】
例えば、年賀の挨拶や季節の挨拶、慶弔事項の連絡、転居や転任などの連絡などの内容を多量のハガキに印刷する場合が多く、パーソナルコンピュータに付属しているアプリケーションソフトを用いることによって手軽に印刷することができる。
【０００４】
ハガキを印刷する場合には、表面に宛名を印刷し、裏面に本文を印刷するが、郵便番号枠は予め設定されている規格に従って位置や色が決められているので、アプリケーションソフトによる表面の印刷においては、枠内に郵便番号を正確に印刷する必要がある。
【０００５】
また、ハガキの表裏や天地の方向のセットが正しく行なわれない場合には、宛名を印刷すべき表面に本文が印刷されたり、本文を印刷すべき裏面に宛名を印刷されてしまう。
【０００６】
そこで、特許文献１に記載の技術では、ハガキなどの定型用紙に対して印刷を行なう際に、ヘッドに取り付けられた撮像素子によって郵便番号枠を撮像し、撮像データと、予め設定されている印刷条件とを比較し、定型用紙の印刷条件を満たしているか否かを判断し、判断結果に応じて、印刷を続行したり、警告を行なうことが提案されている。
【特許文献１】特開２００１−１２１７９４号公報
【発明の開示】
【発明が解決しようとする課題】
【０００７】
しかしながら、特許文献１に記載の技術では、郵便番号枠の有り無しをヘッドに搭載している撮像素子の撮像結果から判断しているため、ハガキの表裏及び表面の天地方向を判定することができるが、何も印刷されていない裏面の天地方向については認識することができない。従って、記録側が裏面となるようにセットされた場合には、天地が間違っていても警告することもできない。
【０００８】
本発明は、上記事実を考慮して成されたもので、定型用紙の表裏及び天地を判定可能にすることを目的とする。
【課題を解決するための手段】
【０００９】
上記目的を達成するために請求項１に記載の発明は、定型用紙の一方の面へ光を照射する第１発光素子から照射されて定型用紙で反射された光を受光する第１受光素子と、定型用紙の他方の面へ光を照射する第２発光素子から照射されて定型用紙で反射された光を受光する第２受光素子と、前記第１受光素子及び前記第２受光素子の各検出結果に基づいて、定型用紙の予め定められた定型印刷部分を検出することにより、定型用紙の表裏及び天地を判定する判定手段と、を備えることを特徴としている。
【００１０】
請求項１に記載の発明によれば、第１受光素子では、定型定型用紙の一方の面へ光を照射する第１発光素子から照射されて定型用紙で反射された光が受光され、第２受光素子では、定型用紙の他方の面へ光が照射する第２発光素子から照射されて定型用紙で反射された光が受光される。なお、第１発光素子及び第１受光素子は、例えば、請求項７に記載の発明のように、定型用紙へ画像を印刷するためのヘッドに設けるようにしてもよい。
【００１１】
そして、判定手段では、第１受光素子及び第２受光素子の各検出結果に基づいて、定型用紙の予め定めた定型印刷部分を検出することにより、定型用紙の表裏及び天地が判定される。
【００１２】
ここで、定型用紙は、予め定められた定型印刷部分を有し、かつ定型印刷部分では光の反射率が低減する。すなわち、判定手段では、この定型印刷部分を第１受光素子と第２受光素子の検出結果から検出することで、定型用紙の表裏及び天地を判定することができる。
【００１３】
なお、請求項２に記載の発明のように、判定手段によって天地が反転していると判定された場合に、印刷対象の画像の天地を反転する画像反転手段を更に備えるようにしてもよい。これによって天地が反転している場合でも定型用紙を印刷装置に再度セットする手間を省くことができる。
【００１４】
また、請求項３に記載の発明のように、判定手段の判定結果に応じて、表面に対応する画像を定型用紙へ印刷する表面モード、または裏面に対応する画像を定型用紙へ印刷する裏面モードを選択する選択手段を更に備えるようにしてもよい。これによって表裏が逆の場合でも定型用紙を印刷装置に再度セットする手間を省くことができる。
【００１５】
また、判定手段は、請求項４に記載の発明のように、第１受光素子及び第２受光素子の各検出結果における、ピーク間の周期を演算し、演算した周期が定型用紙の定型印刷部分か否かを判断する判断手段を含み、判断手段の判断結果に基づいて、定型用紙の表裏及び天地を判定するようにしてもよいし、請求項５に記載の発明のように、第１受光素子及び第２受光素子の各検出結果における、予め定めた閾値以下の周期を演算し、演算した周期が定型用紙の定型印刷部分か否かを判断する判断手段を含み、判断手段の判断結果に基づいて、定型用紙の表裏及び天地を判定するようにしてもよい。このとき、画像データに応じてインクを吐出して、画像データが表す画像を定型用紙へ印刷する印刷手段を更に備える場合には、インクによるミストにより第１受光素子による検出能力が低下してしまう。そこで、請求項６に記載の発明のように、判定手段が、前回の印刷時の画像データに応じて前記閾値を設定する設定手段を更に含むようにしてもよい。
【００１６】
さらに、定型用紙は、例えば、請求項８に記載のように、ハガキを適用することができ、定型印刷部分としては郵便番号枠を適用することができる。この場合、判定手段は、請求項９に記載の発明のように、第１受光素子または第２受光素子によって郵便番号枠を検出し、郵便番号枠を検出した受光素子側を表面と判定することにより、定型用紙の表裏判定が可能となり、請求項１０に記載の発明のように、第１受光素子または第２受光素子によって宛先郵便番号枠を検出し、検出した宛先郵便番号枠の定型用紙に対する位置に基づいて天地を判定することが可能となる。また、請求項１１に記載の発明のように、第１発光素子及び第２発光素子は、青色光を定型用紙へ照射するものを適用するようにしてもよい。すなわち、郵便番号枠は、赤色であるため青色光を照射することによって検出精度を向上することができる。
【発明の効果】
【００１７】
以上説明したように本発明によれば、定型用紙の表裏及び天地を判定することができる、という効果がある。
【発明を実施するための最良の形態】
【００１８】
以下、図面を参照して本発明の実施の形態の一例を詳細に説明する。
【００１９】
（第１実施形態）
図１（Ａ）、（Ｂ）は、本発明の第１実施形態に係わるインクジェットプリンタの概略構成を示す図である。
【００２０】
本実施形態のインクジェットプリンタ１０は、印刷対象として、定型用紙を印刷するものに適用する。定型用紙としては、一例としてハガキを例に挙げて説明する。
【００２１】
図１（Ａ）、（Ｂ）に示すように、本発明の第１実施形態に係わるインクジェットプリンタ１０は、記録ヘッド１２を備えている。記録ヘッド１２は、ロッド１３に沿って図１（Ａ）矢印方向へ往復移動しながらインクを吐出することによって主走査方向の印刷を行なう。また、副走査は、紙送りローラ１５等によってハガキを移動することで副走査が行なわれる。
【００２２】
また、記録ヘッド１２によって印刷されたハガキは、紙送りローラ１５等によってインクジェットプリンタ１０から排出されてガイド板１７上に載置される。
【００２３】
本実施形態に係わるインクジェットプリンタ１０の記録ヘッド１２には、記録ヘッド１２によるハガキの印刷面側の郵便番号枠を検出するための表面センサ（表面発光素子１４及び表面受光素子１６）が設けられている。表面発光素子１４は記録ヘッド１２によるハガキの印刷面へ光を照射し、表面受光素子１６は表面発光素子１４から照射されてハガキによって反射された光を受光する。
【００２４】
また、記録ヘッド１２に対向した位置（表面センサが検出するハガキの面と反対側の面側）には、記録ヘッド１２による印刷面と反対側の面の郵便番号枠を検出するための裏面センサ（裏面発光素子１８及び裏面受光素子２０）が設けられている。裏面発光素子１８は、記録ヘッド１２よるハガキの印刷面と反対側の面へ光を照射し、裏面受光素子２０は裏面発光素子から照射されてハガキによって反射されて光を受光する。なお、裏面センサは、ハガキの郵便番号枠を検出可能な位置に設けられている。
【００２５】
なお、表面発光素子１４及び裏面発光素子１８は、青色光をハガキに照射する光源が好ましい。ハガキの郵便番号枠が赤色であるため、青色光を照射することにより、検出精度を向上することができる。
【００２６】
ここで、ハガキの郵便番号枠の検出について説明する。図２（Ａ）、（Ｂ）は、表面発光素子１４及び表面受光素子１６によるハガキの郵便番号枠の検出を説明するための図であり、図３（Ａ）、（Ｂ）は、裏面発光素子１８及び裏面受光素子２０によるハガキの郵便番号枠の検出を説明するための図であり、図４（Ａ）は表面受光素子１６によって受光した光の輝度プロファイルの一例を示す図であり、（Ｂ）は裏面受光素子２０によって受光した光の輝度プロファイルの一例を示す図である。
【００２７】
記録ヘッド１２による印刷面側のハガキの郵便番号枠の検出は、図２（Ａ）に示すように、記録ヘッド１２をロッド１３に沿って図２（Ａ）矢印方向へ移動させながら表面発光素子１４から光をハガキに照射し、表面受光素子１６によってハガキからの反射光を受光する。
【００２８】
すなわち、表面受光素子１６は、図２（Ｂ）に示すように、主走査方向に沿ったハガキの反射率に応じた光を受光するので、郵便番号枠では他の位置よりも光量が低減し、郵便番号枠が存在する場合には、表面受光素子１６によって図４（Ａ）に示すような輝度プロファイルを得ることができる。そこで、光量が低減する周期が郵便番号枠の幅方向の周期か否かを判断することによって郵便番号枠を検出する。
【００２９】
一方、印刷面と反対側の面の郵便番号枠の検出は、図３（Ａ）に示すように、ハガキを副走査方向（図３（Ａ）矢印方向）へ移動させながら裏面発光素子１８から光をハガキに照射し、裏面受光素子２０によってハガキからの反射光を受光する。
【００３０】
すなわち、裏面受光素子２０は、図３（Ｂ）に示すように、副走査方向に沿ったハガキの反射率に応じた光を受光するので、郵便番号枠では他の位置よりも光量が低下し、郵便番号枠が存在する場合は、裏面受光素子２０によって図４（Ｂ）に示すような光のプロファイルを得ることができる。そこで、光量が低減する周期が郵便番号枠の天地方向の周期か否かを判断することによって郵便番号枠を検出する。
【００３１】
続いて、本発明の第１実施形態に係わるインクジェットプリンタ１０の制御系の構成について説明する。図５は、本発明の第１実施形態に係わるインクジェットプリンタ１０の制御系の構成を示すブロック図である。
【００３２】
インクジェットプリンタ１０は、制御部２２を備えており、制御部２２によってハガキへの印刷が統括的に制御される。
【００３３】
制御部２２には、データ受信部２４、データ記憶部２６、画像処理部２８、搬送モータ３０、記録ヘッド１２等が接続されており、これらを制御部２２が制御することによってハガキ等に印刷を行なう。
【００３４】
データ受信部２４は、インクジェットプリンタ１０に接続されたパーソナルコンピュータ等から印刷対象のデータを受信して、データ記憶部２６に記憶する。
【００３５】
画像処理部２８は、データ記憶部２６に記憶された印刷対象のデータに対して各種画像処理を行う。各種画像処理としては、例えば、インクジェットプリンタ１０で処理可能なデータ形式へのデータ変換等を行なう。
【００３６】
搬送モータ３０は、紙送りローラ１５等を駆動して、ハガキを搬送し、記録ヘッド１２は、ハガキへの印刷を行なう。なお、図５中の記録ヘッド１２は、主走査方向へ記録ヘッド１２を移動させるためのモータを含むものとする。
【００３７】
また、制御部２２には、表面発光素子１４、表面受光素子１６、裏面発光素子１８、及び裏面受光素子２０が更に接続されており、表面発光素子１４及び裏面発光素子１８を制御部２２の制御により発光し、表面受光素子１６及び裏面受光素子２０の受光結果に対して、制御部２２で信号処理することにより、上述したようにハガキの郵便番号枠を検出する。具体的には、光量に対する予め定めた閾値が制御部２２に記憶されており、当該閾値以下となる部分の周期を求め、求めた周期が郵便番号枠に周期か否かを制御部２２が判断することによって郵便番号枠を検出する。
【００３８】
すなわち、制御部２２は、郵便番号の有無によって表裏判定する。本実施形態では、郵便番号枠を検出した方の面を表面と判定する。また、郵便番号枠は、差出人郵便番号枠がある場合には、宛先用と差出人用とで大きさが異なるので、制御部２２は、ハガキに対する郵便番号の位置から天地を判定する。なお、本実施形態では、宛先郵便番号枠を先に検出したか否かを判定することでハガキの天地を判定する。
【００３９】
ところで、インクジェットプリンタ１０は、記録ヘッド１２からインクを吐出して印刷を行なうが、このとき、記録ヘッド１２とハガキ間にミストが発生する。ミストが発生すると、郵便番号枠を検出する際に、表面受光素子１６によって検出した輝度プロファイルが変化して郵便番号枠を正確に検出できなくなってしまう。
【００４０】
そこで、本実施形態では、ミスト量に応じて郵便番号を検出するための閾値を変化させるようになっている。なお、ミスト量は計測できないため、本実施形態では、ミスト量を画像データ量に置き換えて、直前のジョブの画像データに応じて閾値を変化させる。
【００４１】
閾値の求め方は、直前の画像データがベタ印刷したときに受光素子から得られる輝度（図６ｂ点）と、直前の画像データが線画のときに受光素子から得られる輝度（図６ａ点）の関係を求め、この２点を通る直線から常に下の値である閾値の直線を求める。そして、この閾値により周期が必ず得られるような閾値を設定する。
【００４２】
具体的には、印刷ジョブをスタートさせる前に、前回の印刷時の画像データが線画のときの、ハガキ表面の宛先郵便番号枠の部分で反射された輝度を測定する（図６ａ点）。次に、前回の印刷時の画像データがベタ印刷時のハガキ表面の宛先部分で反射された光量（起動）を測定する（図６ｂ点）。そして、ｂ点を始点とした、ハガキ表面輝度と一定の間隔を持った閾値の直線を求める。
【００４３】
続いて、上述のように構成された本発明の第１実施形態に係わるインクジェットプリンタ１０の制御部２２で行なわれる処理について説明する。図７は、本発明の第１実施形態に係わるインクジェットプリンタ１０の制御部２２で行なわれる処理の流れの一例を示すフローチャートである。
【００４４】
印刷の開始が指示されると、ステップ１００では、前ジョブの画像データから表面受光素子１６の読取閾値が設定されてステップ１０２へ移行する。すなわち、図６の閾値直線から前ジョブの画像データに応じて閾値を設定する。
【００４５】
ステップ１０２では、搬送モータ３０が駆動されることによって印刷位置までハガキが搬送されてステップ１０４へ移行する。
【００４６】
ステップ１０４では、表面センサ（表面発光素子１４及び表面受光素子１６）によって郵便番号枠の読取が行なわれてステップ１０６へ移行する。すなわち、表面発光素子１４からハガキへ光を照射しながら記録ヘッド１２を移動させて表面受光素子１６によって光を受光する。
【００４７】
ステップ１０６では、輝度プロファイルがあるか否か判定され、該判定否定された場合にはステップ１０８へ移行し、肯定された場合にはステップ１１０へ移行する。
【００４８】
ステップ１０８では、裏面モードへ移行し、裏面モードを行なった後に処理を終了する。なお、裏面モードの詳細は後述する。
【００４９】
ステップ１１０では、周期が演算されてステップ１１２へ移行する。すなわち、表面受光素子１６によって得られる輝度プロファイルにおいて、設定された閾値以下の部分の周期が演算される。
【００５０】
ステップ１１２では、宛先郵便番号枠を先に検出したか否か判定され、該判定が否定された場合にはステップ１１４へ移行し、否定された場合にはステップ１１６へ移行する。
【００５１】
ステップ１１４では、ハガキの天地が反転していると判断して画像データの天地を反転することにより画像の天地を反転してステップ１１６へ移行する。
【００５２】
ステップ１１６では、搬送モータ３０が駆動されて印刷位置までハガキが搬送されてステップ１１８へ移行する。
【００５３】
ステップ１１８では、表面に対応する画像データに基づく印刷処理が行なわれてステップ１２０へ移行する。すなわち、搬送モータ３０及び記録ヘッド１２等が制御されてハガキの表面への印刷が行なわれる。
【００５４】
ステップ１２０では、印刷が終了したか否か判定され、該判定が否定された場合にはステップ１００に戻って上述の処理が繰り返され、ステップ１２０の判定が肯定されたところで一連の処理を終了する。
【００５５】
ここで、上述の裏面モードについて詳細に説明する。図８は、本発明の第１実施形態に係わるインクジェットプリンタ１０における裏面モードの処理の流れの一例を示すフローチャートである。
【００５６】
裏面モードへ移行すると、ステップ２００では、搬送モータ３０が駆動されることによって、印刷位置までハガキが搬送されてステップ２０２へ移行する。
【００５７】
ステップ２０２では、裏面センサ（裏面発光素子１８及び裏面受光素子２０）によって郵便番号枠の読取が行なわれてステップ２０４へ移行する。すなわち、裏面発光素子１８からハガキへ光を照射しながらハガキを搬送して裏面受光素子２０によって光を受光する。
【００５８】
ステップ２０４では、輝度プロファイルがあるか否か判定され、該判定が否定された場合にはステップ２０６へ移行し、肯定された場合にはステップ２０８へ移行する。
【００５９】
ステップ２０６では、ハガキでないことが警告されてステップ２１８へ移行する。例えば、図示しないモニタ等にハガキではない旨を表す表示等を行なう。
【００６０】
一方、ステップ２０８では、周期が演算されてステップ２１０へ移行する。すなわち、裏面受光素子２０によって得られる輝度プロファイルにおいて、設定された閾値以下の部分の周期が演算される。
【００６１】
ステップ２１０では、宛先郵便番号枠を先に検出したか否か判定され、該判定が否定された場合にはステップ２１２へ移行し、肯定された場合にはステップ２１４へ移行する。
【００６２】
ステップ２１２では、ハガキの天地が反転していると判断して画像データの天地を反転することによって画像の天地を反転してステップ２１４へ移行する。
【００６３】
ステップ２１４では、搬送モータ３０が駆動されることによって、印刷位置までハガキが搬送されてステップ２１６へ移行する。
【００６４】
ステップ２１６では、裏面に対応する画像データに基づく印刷処理が行なわれてステップ２１８へ移行する。すなわち、搬送モータ３０及び記録ヘッド１２等が制御されてハガキの裏面への印刷が行なわれる。
【００６５】
ステップ２１８では、印刷が終了したか否か判定され、該判定が否定された場合にはステップ２００に戻って上述の処理が繰り返され、ステップ２１８の判定が肯定されたところで一連の処理を終了する。
【００６６】
このように、本実施形態に係わるインクジェットプリンタ１０は、表面発光素子１４及び表面受光素子１６、並びに、裏面発光素子１８及び裏面受光素子２０を設けて、各受光素子の検出結果に基づいて、ハガキの定型部分（郵便番号枠）を検出することによって、ハガキの表裏及び天地を判定することができる。また、表面発光素子１４、表面受光素子１６、裏面発光素子１８、及び裏面受光素子２０を設けるだけなので、安価な装置にすることが可能となる。
【００６７】
また、インクジェットプリンタ１０では、郵便番号枠を検出する際に、ミストによって検出が困難となってしまうが、本実施形態では、前ジョブの画像データ（ミスト量）に応じて郵便番号枠を検出するための閾値を変更することによって、郵便番号枠を正確に検出することができる。
【００６８】
さらに、郵便番号枠を検出することができるので、印刷の際には、郵便番号枠内に郵便番号を確実に印刷することができる。
【００６９】
なお、第１実施形態では、記録ヘッドから吐出されるインクのミストによって、表面受光素子１６によって得られる輝度プロファイルの輝度が減少するため、画像データに応じて閾値を設定するようにしたが、閾値を変更する代りに、表面受光素子１６のバイアス電圧を変更してもよい。すなわち、ミスト量が多くなるに従って表面受光素子１６のバイアス電圧を上げることによって、信号レベルを上げることができ、輝度プロファイルの低下を補うことができるので、郵便番号枠の検出が可能となる。
【００７０】
（第２実施形態）
続いて、本発明の第２実施形態に係わるインクジェットプリンタについて説明する。
【００７１】
第１実施形態では、ミスト量（前ジョブの画像データ）に応じて郵便番号枠を検出するための閾値を変更するようにしたが、本実施形態では、表面受光素子１６及び裏面受光素子２０の検出結果から、光量が低下するピークを検出して、ピーク間の周期を演算することによって郵便番号枠を検出するようにしたものである。すなわち、制御部２２で行なわれる処理が異なるのみであり、インクジェットプリンタ１０の構成は、第１実施形態と同一であるため詳細な説明は省略する。
【００７２】
図９は、本発明の第２実施形態に係わるインクジェットプリンタの制御部で行なわれる処理の流れの一例を示すフローチャートである。
【００７３】
ステップ３００では、搬送モータ３０が駆動されることによって印刷位置までハガキが搬送されてステップ３０２へ移行する。
【００７４】
ステップ３０２では、表面センサ（表面発光素子１４及び表面受光素子１６）によって郵便番号枠の読取が行なわれてステップ３０４へ移行する。すなわち、表面発光素子１４からハガキへ光を照射しながら記録ヘッド１２を移動させて表面受光素子１６によって光を受光する。
【００７５】
ステップ３０４では、輝度プロファイルがあるか否か判定され、該判定否定された場合にはステップ３０６へ移行し、肯定された場合にはステップ３０８へ移行する。
【００７６】
ステップ３０６では、裏面モードへ移行し、裏面モードを行なった後に処理を終了する。なお、裏面モードの詳細は後述する。
【００７７】
ステップ３０８では、ピーク周期が演算されてステップ３１０へ移行する。すなわち、表面受光素子１６によって得られる輝度プロファイルにおいて、光量が低下するピークを求め、求めたピーク間の周期を演算する。
【００７８】
ステップ３１０では、宛先郵便番号枠を先に検出したか否か判定され、該判定が否定された場合にはステップ３１２へ移行し、肯定された場合にはステップ３１４へ移行する。
【００７９】
ステップ３１２では、ハガキの天地が反転していると判断して画像データの天地を反転することにより画像の天地を反転してステップ３１４へ移行する。
【００８０】
ステップ３１４では、搬送モータ３０が駆動されて印刷位置までハガキが搬送されてステップ３１６へ移行する。
【００８１】
ステップ３１６では、表面に対応する画像データに基づく印刷処理が行なわれてステップ３１８へ移行する。すなわち、搬送モータ３０及び記録ヘッド１２等が制御されてハガキの表面への印刷が行なわれる。
【００８２】
ステップ３１８では、印刷が終了したか否か判定され、該判定が否定された場合にはステップ３００に戻って上述の処理が繰り返され、ステップ３１８の判定が肯定されたところで一連の処理を終了する。
【００８３】
ここで、上述の裏面モードについて詳細に説明する。図１０は、本発明の第２実施形態に係わるインクジェットプリンタにおける裏面モードの処理の流れの一例を示すフローチャートである。
【００８４】
裏面モードへ移行すると、ステップ４００では、搬送モータ３０が駆動されることによって、印刷位置までハガキが搬送されてステップ４０２へ移行する。
【００８５】
ステップ４０２では、裏面センサ（裏面発光素子１８及び裏面受光素子２０）によって郵便番号枠の読取が行なわれてステップ４０４へ移行する。すなわち、裏面発光素子１８からハガキへ光を照射しながらハガキを搬送して裏面受光素子２０によって光を受光する。
【００８６】
ステップ４０４では、輝度プロファイルがあるか否か判定され、該判定が否定された場合にはステップ４０６へ移行し、肯定された場合にはステップ４０８へ移行する。
【００８７】
ステップ４０６では、ハガキでないことが警告されてステップ４１８へ移行する。例えば、図示しないモニタ等にハガキではない旨を表す表示等を行なう。
【００８８】
一方、ステップ４０８では、周期が演算されてステップ４１０へ移行する。すなわち、裏面受光素子２０によって得られる輝度プロファイルにおいて、光量が低下するピークを求め、求めたピーク間の周期を演算する。
【００８９】
ステップ４１０では、宛先郵便番号枠を先に検出したか否か判定され、該判定が否定された場合にはステップ４１２へ移行し、肯定された場合にはステップ４１４へ移行する。
【００９０】
ステップ４１２では、ハガキの天地が反転していると判断して画像データの天地を反転することにより画像の天地を反転してステップ４１４へ移行する。
【００９１】
ステップ４１４では、搬送モータ３０が駆動されることによって、印刷位置までハガキが搬送されてステップ４１６へ移行する。
【００９２】
ステップ４１６では、裏面に対応する画像データに基づく印刷処理が行なわれてステップ４１８へ移行する。すなわち、搬送モータ３０及び記録ヘッド１２等が制御されてハガキの裏面への印刷が行なわれる。
【００９３】
ステップ４１８では、印刷が終了したか否か判定され、該判定が否定された場合にはステップ４００に戻って上述の処理が繰り返され、ステップ４１８の判定が肯定されたところで一連の処理を終了する。
【００９４】
このように、郵便番号枠を検出する際には、表面受光素子１６の受光結果における、ピーク間の周期を演算するようにしても、第１実施形態と同様に、郵便番号枠を検出することができる。また、ピーク間の周期を演算するので、ミストが発生しても第１実施形態のように閾値を変更する必要がないので、第１実施形態よりも簡単に郵便番号枠を検出することができる。
【００９５】
なお、上記の各実施形態では、表面発光素子１４、表面受光素子１６、裏面発光素子１８及び裏面受光素子２０によって郵便番号枠を検出するようにしたが、これに限るものではなく、表面センサ及び裏面センサはラインセンサを用いるようにしてもよいし、裏面センサのみラインセンサを適用するようにしてもよい。
【００９６】
また、上記の各実施形態では、インクジェットプリンタを例に挙げて説明したが、これに限るものではなく、電子写真方式を適用したプリンタに、表面発光素子１４、表面受光素子１６、裏面発光素子１８、及び裏面受光素子２０を設けて、定型用紙の表裏及び天地を判定するようにしてもよい。
【図面の簡単な説明】
【００９７】
【図１】（Ａ）は本発明の第１実施形態に係わるインクジェットプリンタの概略構成を示す斜視図であり、（Ｂ）は本発明の第１実施形態に係わるインクジェットプリンタの概略構成を示す側面図である。
【図２】表面発光素子及び表面受光素子によるハガキの郵便番号枠の検出を説明するための図である。
【図３】裏面発光素子及び裏面受光素子によるハガキの郵便番号枠の検出を説明するための図である。
【図４】（Ａ）は表面受光素子によって検出した輝度プロファイルの一例を示す図であり、（Ｂ）は裏面受光素子によって検出した輝度プロファイルの一例を示す図である。
【図５】本発明の第１実施形態に係わるインクジェットプリンタの制御系の構成を示すブロック図である。
【図６】郵便番号枠を検出するための閾値の一例を示す図である。
【図７】本発明の第１実施形態に係わるインクジェットプリンタの制御部で行なわれる処理の流れの一例を示すフローチャートである。
【図８】本発明の第１実施形態に係わるインクジェットプリンタにおける裏面モードの処理の流れの一例を示すフローチャートである。
【図９】本発明の第２実施形態に係わるインクジェットプリンタの制御部で行なわれる処理の流れの一例を示すフローチャートである。
【図１０】本発明の第２実施形態に係わるインクジェットプリンタにおける裏面モードの処理の流れの一例を示すフローチャートである。
【符号の説明】
【００９８】
１０    インクジェットプリンタ
１２    記録ヘッド
１４    表面発光素子
１６    表面受光素子
１８    裏面発光素子
２０    裏面受光素子
２２    制御部
【図１】
2010069670.tif 000003
【図２】
2010069670.tif 000004
【図３】
2010069670.tif 000005
【図４】
2010069670.tif 000006
【図５】
2010069670.tif 000007
【図６】
2010069670.tif 000008
【図７】
2010069670.tif 000009
【図８】
2010069670.tif 000010
【図９】
2010069670.tif 000011
【図１０】
2010069670.tif 000012